【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】
所定の表示パターンを表示する表示手段と、
前記表示手段に対応させて設けられ、前記表示手段に表示された所定の表示パターンに対するタッチ入力を検知するためのタッチパネルと、
前記タッチパネルによって検知された、前記表示手段に表示された所定の表示パターンに対する入力座標を検出する入力座標検出手段と、
前記表示手段に表示された所定の表示パターンに対するタッチ入力を、有効・無効に関わりなく前記入力座標検出手段により検出した座標に基づいて、入力の傾向を分析する分析手段と、
前記分析手段による分析結果に基づいて、前記表示手段に表示された所定の表示パターンに対するタッチ入力の補正を行う補正手段と
を備えていることを特徴とするタッチパネル入力装置
【請求項２】
所定の表示パターンを表示手段に表示する表示ステップと、
前記表示手段に対応させて設けられたタッチパネルより前記表示手段に表示された所定の表示パターンに対するタッチ入力を検知するタッチ入力検知ステップと、
前記タッチ入力検知ステップによって検知された、前記表示手段に表示された所定の表示パターンに対するタッチ入力に対応した入力座標を検出する入力座標検出ステップと、
前記表示ステップにより表示された所定の表示パターンに対するタッチ入力を、有効・無効に関わりなく前記入力座標検出ステップにより検出した座標に基づいて、入力の傾向を分析する分析ステップと、
前記分析ステップの分析結果に基づいて、前記表示手段に表示された所定の表示パターンに対するタッチ入力の補正を行う補正ステップと
を有することを特徴とするタッチパネル入力制御方法。
【請求項３】
前記分析ステップは、前記入力座標検出ステップにより検出した入力座標の重心を用いることを特徴とする請求項２記載のタッチパネル入力制御方法。
【請求項４】
前記補正ステップは、前記分析ステップの分析結果に基づいて、前記入力座標検出ステップによって検出された入力座標をずらすことを特徴とする請求項２又は３記載のタッチパネル入力制御方法。
【請求項５】
前記補正ステップは、前記分析ステップの分析結果に基づいて、前記表示ステップによって表示手段に表示される所定の表示パターンの反応領域をずらすことを特徴とする請求項２又は３記載のタッチパネル入力制御方法。
【請求項６】
前記補正ステップは、前記分析ステップの分析結果に基づいて前記表示ステップによって表示手段に表示される所定の表示パターンの反応領域を拡大することを特徴とする請求項２又は３記載のタッチパネル入力制御方法。
【手続補正２】
【補正対象書類名】明細書
【補正対象項目名】００１２
【補正方法】変更
【補正の内容】
【００１２】
【課題を解決するための手段】
上記目的を達成するために、本発明の請求項１記載のタッチパネル入力制御方式は、所定の表示パターンを表示する表示手段と、前記表示手段に対応させて設けられ、前記表示手段に表示された所定の表示パターンに対するタッチ入力を検知するためのタッチパネルと、前記タッチパネルによって検知された、前記表示手段に表示された所定の表示パターンに対する入力座標を検出する入力座標検出手段と、前記表示手段に表示された所定の表示パターンに対するタッチ入力を、有効・無効に関わりなく前記入力座標検出手段により検出した座標に基づいて、入力の傾向を分析する分析手段と、前記分析手段による分析結果に基づいて、前記表示手段に表示された所定の表示パターンに対するタッチ入力の補正を行う補正手段とを備えていることを特徴とする。
【手続補正３】
【補正対象書類名】明細書
【補正対象項目名】００１３
【補正方法】変更
【補正の内容】
【００１３】
また、本発明の請求項２記載のタッチパネル入力制御方法は、所定の表示パターンを表示手段に表示する表示ステップと、前記表示手段に対応させて設けられたタッチパネルより前記表示手段に表示された所定の表示パターンに対するタッチ入力を検知するタッチ入力検知ステップと、前記タッチ入力検知ステップによって検知された、前記表示手段に表示された所定の表示パターンに対するタッチ入力に対応した入力座標を検出する入力座標検出ステップと、前記表示ステップにより表示された所定の表示パターンに対するタッチ入力を、有効・無効に関わりなく前記入力座標検出ステップにより検出した座標に基づいて、入力の傾向を分析する分析ステップと、前記分析ステップの分析結果に基づいて、前記表示手段に表示された所定の表示パターンに対するタッチ入力の補正を行う補正ステップとを有することを特徴とする。
【手続補正４】
【補正対象書類名】明細書
【補正対象項目名】００１４
【補正方法】変更
【補正の内容】
【００１４】
また、本発明のタッチパネル入力制御方法では、前記分析ステップは、前記入力座標検出ステップにより検出した入力座標の重心を用いることを特徴とする。
また、本発明のタッチパネル入力制御方法では、前記補正ステップは、前記分析ステップの分析結果に基づいて、前記入力座標検出ステップによって検出された入力座標をずらすことを特徴とする。
【手続補正５】
【補正対象書類名】明細書
【補正対象項目名】００１５
【補正方法】変更
【補正の内容】
【００１５】
また、本発明のタッチパネル入力制御方法では、前記補正ステップは、前記分析ステップの分析結果に基づいて、前記表示ステップによって表示手段に表示される所定の表示パターンの反応領域をずらすことを特徴とする。
また、本発明のタッチパネル入力制御方法では、前記補正ステップは、前記分析ステップの分析結果に基づいて前記表示ステップによって表示手段に表示される所定の表示パターンの反応領域を拡大することを特徴とする。
【手続補正６】
【補正対象書類名】明細書
【補正対象項目名】００１６
【補正方法】変更
【補正の内容】
【００１６】
これら本発明によれば、所定の表示パターンに対するタッチ入力の傾向の分析結果をもとに、この所定の表示パターンに対するタッチ入力の無効を減少させるように、その入力座標をずらすことができる。
これら本発明によれば、所定の表示パターンに対するタッチ入力の傾向の分析結果をもとに、この所定の表示パターンのより望ましい反応領域を再生成することができる。
【手続補正７】
【補正対象書類名】明細書
【補正対象項目名】００１９
【補正方法】変更
【補正の内容】
【００１９】
一方、ユーザが、表示部１５に表示されたＧＵＩパターンのＧＵＩ部品に対して、タッチパネル１２から入力操作を行うと、タッチパネル制御部１３がこれを検知し、座標検出部１４に伝える。座標検出部１４は、タッチパネル制御部１３による検知出力をタッチパネル１２のタブレット座標系上の入力座標（ｖ，ｗ）に変換し、この変換した入力座標（ｖ，ｗ）をＣＰＵ１１に伝える。ＣＰＵ１１は、座標検出部１４によって検出されたタッチパネル１２上の入力座標（ｖ，ｗ）を、記憶装置１８に蓄えられた補正値に基づいて、表示部１５の表示座標系上の表示座標（ｘ，ｙ）に変換する。
前記ユーザによる入力操作の結果、得られた表示座標（ｘ，ｙ）は、逐一記憶装置１８内の入力座標履歴記憶部２３に入力座標履歴として蓄えられる。
【手続補正８】
【補正対象書類名】明細書
【補正対象項目名】００６１
【補正方法】変更
【補正の内容】
【００６１】
本実施例では、タッチパネル入力制御処理の簡便化のために反応領域３１ａは方形であるものとして処理されているため、楕円形の表示形状３１’を元にユーザが操作したことによって無効操作と判定された入力座標履歴４１ｂが多いことが分かる。
【手続補正９】
【補正対象書類名】明細書
【補正対象項目名】００６３
【補正方法】変更
【補正の内容】
【００６３】
このような場合に、反応領域３１ａを校正対象範囲内の個々の入力履歴４２ｅ−１〜４２ｅ−ｍを全て含むような形状に更新することで、以降の無効操作と判定される入力座標履歴４１ｂを減らすことができる。